(57)【特許請求の範囲】
【請求項１】
正極および負極の一対の電極端子を有する複数の蓄電素子から成る蓄電素子群に取り付けられる接続モジュールであって、
隣り合う蓄電素子の前記電極端子を接続するバスバーと、
前記バスバーを保持するバスバー保持部を含む絶縁プロテクタと、を備え、
前記絶縁プロテクタは、前記複数の蓄電素子の並び方向に連結される複数の連結ユニットによって構成され、
前記複数の連結ユニットは、
前記絶縁プロテクタの両端部に位置する二個の端部連結ユニットと、
前記二個の端部連結ユニット間に位置する中間連結ユニットと、を含み、
前記二個の端部連結ユニットは、同一構成の連結ユニットからなり、
一方の端部連結ユニットと他方の端部連結ユニットとは、平面視において相対的に１８０度回転された状態において、対応する中間連結ユニットに連結されている、接続モジュール。
【請求項２】
請求項１に記載の接続モジュールにおいて、
前記絶縁プロテクタに保持され、前記蓄電素子に電気的に接続される導電性部材と、
前記導電性部材に接続され、前記蓄電素子の状態を検知する検知電線と、を備え、
前記端部連結ユニットは、平面視において長方形の形状を有するとともに、前記検知電線を固定する電線固定部を含み、
前記電線固定部は、平面視において、前記長方形の長辺から外部に飛び出さない位置に設けられている、接続モジュール。
【請求項３】
請求項１または請求項２に記載の接続モジュールにおいて、
前記端部連結ユニットは、前記一対の電極端子のいずれか一方を複数の方向において外部に接続可能な外部接続部を有する、接続モジュール。
【請求項４】
請求項１から請求項３のいずれか一項に記載の接続モジュールにおいて、
前記端部連結ユニットおよび前記中間連結ユニットは、各蓄電素子に対応して設けられている、接続モジュール。
【請求項５】
請求項４に記載の接続モジュールにおいて、
前記中間連結ユニットは、前記端部連結ユニットと連結可能な第１中間連結ユニットと、前記第１中間連結ユニットと連結可能な第２中間連結ユニットとによって構成される、接続モジュール。
【発明の詳細な説明】
【技術分野】
【０００１】
本明細書に開示される技術は、複数の蓄電素子からなる蓄電素子群に装着される接続モジュールに関し、詳しくは、接続モジュールに配される絶縁プロテクタの構成に関する。
【背景技術】
【０００２】
従来、蓄電素子群に装着される接続モジュールには、隣り合う蓄電素子の電極端子を接続するバスバーを保持する絶縁プロテクタが配される。そのような絶縁プロテクタとして、例えば、特許文献１に記載のものが知られている。特許文献１には、複数の蓄電素子に対応するために、複数の連結ユニットを連結して絶縁プロテクタを構成する技術が開示されている。
【先行技術文献】
【特許文献】
【０００３】
【特許文献１】特開２０１３−５４９９５号公報
【発明の概要】
【発明が解決しようとする課題】
【０００４】
しかしながら、従来技術のように、複数の連結ユニットを連結して絶縁プロテクタを構成する場合、通常、両端部の連結ユニットには蓄電素子群からの電源取り出し用の端子が設けられること等に起因して、種類の異なる複数の連結ユニットを形成する必要があった。連結ユニットの種類が増加すると、連結ユニットの製造コストが増加するという不都合が生じることとなる。
【０００５】
本明細書に開示される技術は、上記のような事情に基づいて完成されたものであって、絶縁プロテクタが複数の連結ユニットを連結して構成される場合において、連結ユニットの種類を低減できる接続モジュールを提供する。
【課題を解決するための手段】
【０００６】
本明細書に開示される配線モジュールは、正極および負極の一対の電極端子を有する複数の蓄電素子から成る蓄電素子群に取り付けられる接続モジュールであって、隣り合う蓄電素子の前記電極端子を接続するバスバーと、前記バスバーを保持するバスバー保持部を含む絶縁プロテクタと、を備え、前記絶縁プロテクタは、前記複数の蓄電素子の並び方向に連結される複数の連結ユニット）によって構成され、前記複数の連結ユニットは、前記絶縁プロテクタの両端部に位置する二個の端部連結ユニットと、前記二個の端部連結ユニット間に位置する中間連結ユニットと、を含み、前記二個の端部連結ユニットは、同一構成の連結ユニットからなり、一方の端部連結ユニットと他方の端部連結ユニットとは、平面視において相対的に１８０度回転された状態において、対応する中間連結ユニットに連結されている。
本構成によれば、二個の端部連結ユニットは、同一構成の連結ユニットからなり、一方の端部連結ユニットと他方の端部連結ユニットとは、平面視において相対的に１８０度回転された状態において、対応する中間連結ユニットに連結されている。すなわち、端部連結ユニットは一種類の連結ユニットによって構成される。それによって、絶縁プロテクタが複数の連結ユニットを連結して構成される場合において、連結ユニットの種類を低減することができる。
【０００７】
上記接続モジュールにおいて、前記絶縁プロテクタに保持され、前記蓄電素子に電気的に接続される導電性部材と、前記導電性部材に接続され、前記蓄電素子の状態を検知する検知電線と、を備え、前記端部連結ユニットは、平面視において長方形の形状を有するとともに、前記検知電線を固定する電線固定部を含み、前記電線固定部は、平面視において、前記長方形の長辺から外部に飛び出さない位置に設けられているようにしてもよい。
本構成によれば、端部連結ユニットを１８０度回転して中間連結ユニットに連結する際に、平面視において、電線固定部が接続モジュールの外側に飛び出すことがない。それによって、接続モジュールの省スペース化を図ることができる。
【０００８】
また、上記接続モジュールにおいて、前記端部連結ユニットは、前記一対の電極端子のいずれか一方を複数の方向において外部に接続可能な外部接続部を有するようにしてもよい。
本構成によれば、複数の方向に接続可能な外部接続部によって、蓄電素子群を他の蓄電素子群に接続する際の接続態様を多様化できる。すなわち、複数の蓄電素子群によって、より大きな蓄電素子群を形成する際に、蓄電素子群の配置の融通性を増大できる。
【０００９】
また、上記接続モジュールにおいて、前記端部連結ユニットおよび前記中間連結ユニットは、各蓄電素子に対応して設けられているようにしてもよい。
本構成によれば、蓄電素子群を構成する蓄電素子数に適宜対応して接続モジュールを構築できる。すなわち、端部連結ユニットおよび中間連結ユニットが複数の蓄電素子に対応して設けられる構成の場合、蓄電素子群を構成する蓄電素子数に対応させて、端部連結ユニット、あるいは中間連結ユニットの大きさ（対応する蓄電素子の数）を変更する必要がある。一方、端部連結ユニットおよび中間連結ユニットが各蓄電素子に対応して設けられる構成の場合、端部連結ユニットおよび中間連結ユニットの大きさを変更する必要はなく、単に、蓄電素子数に応じて、中間連結ユニットの数を変更するだけで対応できる。
【００１０】
また、上記接続モジュールにおいて、前記中間連結ユニットは、前記端部連結ユニットと連結可能な第１中間連結ユニットと、前記第１中間連結ユニットと連結可能な第２中間連結ユニットとによって構成されるようにしてもよい。
本構成によれば、第１中間連結ユニットと第２中間連結ユニットとの２種類の中間連結ユニットによって、蓄電素子数の異なる多数の蓄電素子群に対応した接続モジュールを構築できる。
【発明の効果】
【００１１】
本明細書に開示される接続モジュールによれば、絶縁プロテクタが複数の連結ユニットを連結して構成される場合において、連結ユニットの種類を低減できる。
【図面の簡単な説明】
【００１２】
【図１】一実施形態の接続モジュールの概略的な平面図
【図２】接続モジュールを搭載した蓄電モジュールの概略的な平面図
【図３】絶縁プロテクタの各連結ユニットを示す分解平面図
【図４Ａ】端部連結ユニットの概略的な平面図
【図４Ｂ】端部連結ユニットの概略的な左側面図
【図４Ｃ】端部連結ユニットの概略的な正面図
【発明を実施するための形態】
【００１３】
一実施形態に係る接続モジュール２０を、図１ないし図４Ｃを参照しつつ説明する。本実施形態の接続モジュール２０は、電気自動車又はハイブリッド自動車等の車両に搭載されて、車両を駆動するための電源として使用される蓄電モジュール１（図２参照）の一部を構成するものである。
【００１４】
接続モジュール２０は、蓄電素子１１を複数個（本実施形態では、５個）並べてなる蓄電素子群１０に取り付けられて、隣り合う蓄電素子同士を電気的に接続するものである（図２参照）。なお、以下の説明において、複数の同一部材については、一の部材に符号を付し、他の部材については符号を省略することがある。また、蓄電素子群１０を構成する蓄電素子１１の個数は５個に限られない。
【００１５】
１．蓄電素子
蓄電素子１１は、例えば、二次電池であり、図２に示されるように、扁平な略直方体形状をなしており、その上面に、正極１２Ａおよび負極１２Ｂの一対の電極端子１２が、蓄電素子１１の長辺方向（図２の矢印Ｙ方向）に一列に並んで設けられている。電極端子１２は、例えば、後述するバスバー４０と接続するためのボルト（図示せず）のねじ山と螺合可能なねじ部を備えた孔状に設けられている。蓄電素子１１は、隣り合う電極端子１２が異なる極性となるように配置されて蓄電素子群１０を構成しており、保持板（図示せず)によって固定されている。なお、電極端子１２の構成は、孔状に限られない。
【００１６】
２．接続モジュール
接続モジュール２０は、図１に示されるように、隣り合う蓄電素子１１の正極および負極の電極端子（１２Ａ，１２Ｂ）に接続される金属製の複数のバスバー４０と、バスバー４０を保持するバスバー保持部３２を含む絶縁プロテクタ３０と、絶縁プロテクタに保持され、蓄電素子１１に電気的に接続される電圧検知端子（「導電性部材」の一例）５０と、電圧検知端子５０に接続され、蓄電素子１１の状態を検知する検知電線５２等を備える。
【００１７】
バスバー４０は、銅、銅合金、ステンレス鋼（ＳＵＳ）、アルミニウム等からなる金属製の板材を所定の形状にプレス加工することにより形成され、図１に示すように、全体として略長方形状をなしている。バスバー４０の表面には、スズ、ニッケル等の金属がメッキされていてもよい。バスバー４０には、電極端子１２と接続するためのボルトが挿通される略円形状をなす一対の端子貫通孔４１，４１が、バスバー４０を貫通して形成されている。この端子貫通孔４１は、電極端子１２の孔径よりも若干大きく設定されている。ボルトが端子貫通孔４１内に挿通されるとともにそのねじ山が電極端子１２の孔内に螺合されて、ボルトの頭部と端子台との間にバスバー４０が挟まれることにより、電極端子１２とバスバー４０とが電気的に接続される。
【００１８】
２−１．絶縁プロテクタ
絶縁プロテクタ３０は、図３に示されるように、複数の蓄電素子１１の並び方向（蓄電素子１１の短辺方向（図２の矢印Ｘ方向））に連結される複数（本実施形態では５個）の連結ユニット３１によって構成されている。
【００１９】
複数の連結ユニット３１は、絶縁プロテクタ３０の両端部に位置する二個の端部連結ユニット（３１Ａ，３１ＡＲ）と、二個の端部連結ユニット（３１Ａ，３１ＡＲ）の間に位置する中間連結ユニット（３１Ｂ，３１Ｃ）と、を含む。なお、以下において、各連結ユニットを特に区別する必要がない場合、「連結ユニット３１」と記載する。
【００２０】
二個の端部連結ユニット（３１Ａ，３１ＡＲ）は、同一構成の連結ユニットからなり、一方の端部連結ユニット３１Ａと他方の端部連結ユニット３１ＡＲとは、平面視において相対的に１８０度回転された状態において、対応する中間連結ユニット３１Ｂに連結されている。すなわち、図３に示されるように、端部連結ユニット３１Ａと，端部連結ユニット３１ＡＲとは、同一の連結ユニットからなり、端部連結ユニット３１ＡＲは、端部連結ユニット３１Ａを反転して中間連結ユニット３１Ｂに連結されたものである。
【００２１】
図２に示されるように、端部連結ユニット（３１Ａ，３１ＡＲ）および中間連結ユニット（３１Ｂ，３１Ｃ）は、各蓄電素子１１に対応して設けられている。すなわち、一個の蓄電素子１１に対して一個の連結ユニット３１が対応している。また、中間連結ユニット（３１Ｂ，３１Ｃ）は、図３に示されるように、端部連結ユニット（３１Ａ，３１ＡＲ）と連結可能な第１中間連結ユニット３１Ｂと、第１中間連結ユニット３１Ｂと連結可能な第２中間連結ユニット３１Ｃとによって構成される。
【００２２】
すなわち、本実施形態においては、絶縁プロテクタ３０は、５個の蓄電素子１１に対応して５個の連結ユニット３１から構成され、図３に示されるように、左から端部連結ユニット３１Ａ、第１中間連結ユニット３１Ｂ、第２中間連結ユニット３１Ｃ、第１中間連結ユニット３１Ｂ、端部連結ユニット３１ＡＲの順に連結されている。ここで、端部連結ユニット３１ＡＲは、端部連結ユニット３１Ａを、平面視で反転した、すなわち１８０度回転したものである。このように、本実施形態においては、絶縁プロテクタ３０は、３種類の連結ユニット（３１Ａ、３１Ｂ、３１Ｃ）から成る、５個の連結ユニット３１によって構成されている。
【００２３】
また、各連結ユニット３１は、平面視において長方形の形状を有し、バスバー保持部３２、嵌合凸部３７、嵌合凹部３８、端子係止部３９、および開口部ＯＰ等を含む。詳しくは、一個のバスバー４０を保持するバスバー保持部３２は、一個の連結ユニット３１に形成された第１バスバー保持部３２Ａと、連結される他の一個の連結ユニット３１に形成された第２バスバー保持部３２Ｂとが結合されることによって形成される。
【００２４】
また、一個の連結ユニット３１に形成された嵌合凸部３７と、他の一個の連結ユニット３１に形成された嵌合凹部３８とが嵌合されることによって、二個の連結ユニット３１が連結される。
開口部ＯＰは、蓄電素子１１の電極端子１２とバスバー４０とをボルト等を介して接続するために設けられている。
【００２５】
各端部連結ユニット（３１Ａ，３１ＡＲ）は、検知電線５２を固定する電線固定部３５を含む（図１参照）。電線固定部３５は、図４Ａに示されるように、平面視において、長方形の長辺ＬＳ（破線で示される）から外部に飛び出さない位置に設けられている。電線固定部３５は、例えば、結束バンド５３を用いて検知電線５２を固定するために使用され、結束バンド５３を固定する開口３５Ａと結束バンド５３を通す孔３５Ｂからなる。結束バンド５３によって結束された検知電線５２の一端はコネクタ５５に接続されている（図１参照）。コネクタ５５は、蓄電素子１１を監視する制御回路等に接続される。
【００２６】
また、各端部連結ユニット（３１Ａ，３１ＡＲ）は、一対の電極端子１２Ａ，１２Ｂのいずれか一方を複数の方向において外部に接続可能な外部接続部３４を有する。複数の方向は、本実施形態では、図４Ａに示される矢印Ｈ方向と、Ｖ方向（図２に示される矢印Ｘ方向と、Ｙ方向）の２方向である。
【００２７】
詳細には、外部接続部３４は、図４Ａ−図４Ｃに示されるように、開口部ＯＰを形成する２箇所の低枠部３４Ａ、３４Ｂと、低枠部３４Ａ、３４Ｂの中間に位置する柱部３４Ｃを含む。低枠部３４Ａによって矢印Ｈ方向へ外部接続バスバー４５を引き出すことができ、また、低枠部３４Ｂによって矢印Ｖ方向へ外部接続バスバー４５を引き出すことができる（図２の破線を参照）。
【００２８】
外部接続部３４において、例えば、一方の電極端子１２と電圧検知端子５０とを接続するボルト(図示せず)によって、外部接続バスバー４５を電極端子１２に電気的に接続することによって、蓄電モジュール１を他の蓄電モジュールに接続することができる。
【００２９】
３．蓄電モジュールの組立方法
上述した本実施形態の接続モジュール２０を組み立てる際には、まず、図３に示される５個の連結ユニット３１Ａ−３１ＡＲを組み合わせて絶縁プロテクタ３０を形成する。具体的には、各連結ユニット３１の嵌合凸部３７を隣り合う連結ユニット３１の嵌合凹部３８内に差し込み、所定の位置まで押し込む。
【００３０】
連結ユニット３１を組み立てたら、次に、バスバー４０を絶縁プロテクタ３０のバスバー保持部３２内に収容する。そして、検知電線５２が接続された電圧検知端子５０を、バスバー保持部３２内の端子係止部３９等の所定位置に収容して、バスバー４０に重ね合わせる。そして、各連結ユニット３１からの検知電線５２を結束バンド５３によって結束して、電線固定部３５に固定する。
【００３１】
このようにして組み立てられた本実施形態の接続モジュール２０は、孔状の電極端子１２を上に向けた状態で並べられた蓄電素子群１０の上面側に取り付けられる。すなわち、接続モジュール２０を蓄電素子群１０の上側に載置し、接続用のボルト（図示せず）を電圧検知端子５０の挿通孔５１およびバスバー４０の端子貫通孔４１に挿通させて、隣り合う正極および負極の電極端子１２Ａ，１２Ｂ、電極端子１２と電圧検知端子５０とを電気的に接続する。また、各端部連結ユニット（３１Ａ，３１ＡＲ）の外部接続部３４に電源取出し用端子(図示せず)を取付ける。これにより、蓄電モジュール１が完成する。
【００３２】
４．実施形態の効果
二個の端部連結ユニット（３１Ａ，３１ＡＲ）は、同一構成の連結ユニットからなり、一方の端部連結ユニットと他方の端部連結ユニットとは、平面視において相対的に１８０度回転された状態において、対応する中間連結ユニット３１Ｂに連結されている。すなわち、端部連結ユニット（３１Ａ，３１ＡＲ）は一種類の連結ユニットによって構成されている。それによって、絶縁プロテクタ３０が複数の連結ユニット３１を連結して構成される場合において、連結ユニット３１の種類を低減することができる。
【００３３】
また、電線固定部３５は、平面視において、端部連結ユニット（３１Ａ，３１ＡＲ）の長方形の長辺ＬＳから外部に飛び出さない位置に設けられている。そのため、端部連結ユニット３１Ａを１８０度回転して中間連結ユニット３１Ｃに連結する際に、平面視において、電線固定部３５が接続モジュール２０の外側に飛び出すことがない。それによって、接続モジュール２０の省スペース化、ひいては蓄電モジュール１の省スペース化を図ることができる。
【００３４】
また、端部連結ユニット（３１Ａ，３１ＡＲ）は、一対の電極端子（１２Ａ，１２Ｂ）のいずれか一方を垂直な２方向（図２のＸおよびＹ方向：「複数方向」の一例）において外部に接続可能な外部接続部３４を有する。そのため、外部接続部３４によって、蓄電素子群１０を他の蓄電素子群に接続する際の接続態様を多様化できる。すなわち、複数の蓄電素子群によって、より大きな蓄電素子群を形成する際に、蓄電素子群の配置の融通性を増大できる。
【００３５】
また、端部連結ユニット（３１Ａ，３１ＡＲ）および中間連結ユニット（３１Ｂ，３１Ｃ）は、すなわち、各連結ユニット３１は、各蓄電素子１１に対応して設けられている。そのため、蓄電素子群１０を構成する蓄電素子数に適宜対応して接続モジュールを構築できる。
【００３６】
すなわち、端部連結ユニット（３１Ａ，３１ＡＲ）および中間連結ユニット（３１Ｂ，３１Ｃ）が複数の蓄電素子１１に対応して設けられる構成の場合、蓄電素子群１０を構成する蓄電素子１１の数に対応させて、端部連結ユニット、あるいは中間連結ユニットの大きさ（対応する蓄電素子の数）を変更する必要がある。
例えば、蓄電素子群１０を構成する蓄電素子１１の数が５個である場合、各端部連結ユニットが２個の蓄電素子１１に対応し、中間連結ユニットが１個の蓄電素子１１に対応する構成とする。この場合に、蓄電素子１１の数が７個である場合に対応させるには、例えば、中間連結ユニットを３個の蓄電素子１１に対応する構成に設計変更する必要がある、
一方、この場合において、本実施形態のように、各連結ユニット３１が各蓄電素子１１に対応して設けられる構成の場合、端部連結ユニットおよび中間連結ユニットの大きさを変更する必要はなく、単に、蓄電素子数に応じて、連結する中間連結ユニットの数を３個から５個に変更するだけで対応できる。
【００３７】
また、中間連結ユニット（３１Ｂ，３１Ｃ）は、端部連結ユニット（３１Ａ，３１ＡＲ）と連結可能な第１中間連結ユニット３１Ｂと、第１中間連結ユニット３１Ｂと連結可能な第２中間連結ユニット３１Ｃとによって構成されている。そのため、第１中間連結ユニット３１Ｂと第２中間連結ユニット３１Ｃとの２種類の中間連結ユニットによって、蓄電素子数の異なる多数の蓄電素子群１０に対応した接続モジュールを構築できる。
【００３８】
例えば、９個の蓄電素子１１からなる蓄電素子群１０に対応した接続モジュールを構築するには、端部連結ユニット３１Ａ、第１中間連結ユニット３１Ｂ、第２中間連結ユニット３１Ｃ、第１中間連結ユニット３１Ｂ、第２中間連結ユニット３１Ｃ、第１中間連結ユニット３１Ｂ、第２中間連結ユニット３１Ｃ、第１中間連結ユニット３１Ｂ、端部連結ユニット３１ＡＲの順に連結することによって絶縁プロテクタを構成すればよい。
また、８個の蓄電素子１１からなる蓄電素子群１０に対応した接続モジュールを構築するには、本実施形態で示された接続モジュール２０と、端部連結ユニット３１Ａ、第１中間連結ユニット３１Ｂ、端部連結ユニット３１ＡＲの順に連結することによって構成された絶縁プロテクタを含む接続モジュールとを、所定の外部接続バスバー４５によって接続することによって構築できる。すなわち、本実施形態によれば、単に３種類の連結ユニット（３１Ａ、３１Ｂ、３１Ｃ）によって、各連結ユニット３１の設計変更なしに、蓄電素子数の異なる様々な蓄電素子群１０に対応した接続モジュールを構築できる。
【００３９】
＜他の実施形態＞
本発明は上記記述及び図面によって説明した実施形態に限定されるものではなく、例えば次のような実施形態も本発明の技術的範囲に含まれる。
【００４０】
（１）上記実施形態では、各連結ユニット３１は、各蓄電素子１１に対応して設けられている例を示したが、これに限られない。例えば、端部連結ユニットは、二個の蓄電素子１１に対応したものであってもよい。すなわち、図３において、端部連結ユニット３１Ａと第１中間連結ユニット３１Ｂが併合されたものを端部連結ユニットとしてもよい。この場合であっても、併合端部連結ユニットと、第２中間連結ユニット３１Ｃと、１８０度回転させた併合端部連結ユニットとによって、絶縁プロテクタ３０を形成できる。それによって、１８０度回転させた併合端部連結ユニットを使用しない場合と比べて、連結ユニットの種類を低減できる。
【００４１】
（２）上記実施形態では、電線固定部３５は、平面視において、端部連結ユニット（３１Ａ，３１ＡＲ）の長方形の長辺ＬＳから外部に飛び出さない位置に設けられている例を示したが、これに限られない。連結ユニット３１の詳細な平面外形等に応じて、電線固定部３５は、長方形の長辺ＬＳから外部に飛び出す位置に設けられてもよい。
【００４２】
（３）上記実施形態では、端部連結ユニット（３１Ａ，３１ＡＲ）は、一対の電極端子（１２Ａ，１２Ｂ）のいずれか一方を垂直な２方向（複数方向）において外部に接続可能な外部接続部３４を有する例を示したが、これに限られない。外部接続部３４は、一対の電極端子（１２Ａ，１２Ｂ）のいずれか一方を１方向（図４Ａの矢印Ｈ方向、または矢印Ｖ方向）のみに外部に接続可能な構成としてもよい。
【００４３】
（４）上記実施形態では、中間連結ユニットは、第１中間連結ユニット３１Ｂと、第２中間連結ユニット３１Ｃの２種類の中間連結ユニットによって構成されている例を示したが、これに限られない。例えば、中間連結ユニットは１種類の中間連結ユニットによって構成されていてもよいし、あるいは３種類以上の中間連結ユニットによって構成されていてもよい。
【符号の説明】
【００４４】
１０…蓄電素子群
１１…蓄電素子
１２Ａ…正電極端子
１２Ｂ…負電極端子
２０…接続モジュール
３０…絶縁プロテクタ
３１…連結ユニット
３１Ａ，３１ＡＲ…端部連結ユニット
３１Ｂ…第１中間連結ユニット（中間連結ユニット）
３１Ｃ…第２中間連結ユニット（中間連結ユニット）
３２…バスバー保持部
３２Ａ…第１バスバー保持部（バスバー保持部）
３２Ｂ…第２バスバー保持部（バスバー保持部）
３４…外部接続部
３５…電線固定部
４０…バスバー
５０…電圧検知端子（導電性部材）
５２…検知電線
【図１】
0006557634.tif 000002
【図２】
0006557634.tif 000003
【図３】
0006557634.tif 000004
【図４Ａ】
0006557634.tif 000005
【図４Ｂ】
0006557634.tif 000006
【図４Ｃ】
0006557634.tif 000007